(57)【特許請求の範囲】
【請求項１】
再生装置から現在再生中のコンテンツのデータ、もしくは現在再生中のコンテンツを含む複数のコンテンツのデータを記録再生装置に転送コピーし、前記記録再生装置において、前記再生装置が現在再生中のデータの時間的な再生位置を、随時把握し、前記再生装置から前記転送コピーした前記データを、前記再生装置が現在再生中のデータとの時間的な再生位置が相対的に一致して再生できるように同期をとって再生を開始可能に構成してあることを特徴とする連係再生方式の記録再生システム。
【請求項２】
前記再生装置から前記記録再生装置へ転送コピーするデータについて、現在再生中のコンテンツを含むファイルの全体のデータとなしてあることを特徴とする請求項１に記載の連係再生方式の記録再生システム。
【請求項３】
前記再生装置から前記記録再生装置へ転送コピーするデータについて、現在再生中のコンテンツを含むファイルの全体のデータとともに、時間的な再生位置が前記ファイルの前または後または前後に配置されたコンテンツのデータ、もしくは前記ファイルとは異なるファイルに存在するコンテンツのデータとなしてあることを特徴とする請求項１に記載の連係再生方式の記録再生システム。
【請求項４】
前記再生装置から前記記録再生装置へ転送コピーするデータについて、現在再生中のコンテンツのデータとともに、前記再生装置で読み出し可能な状態となしてある複数のコンテンツのデータを任意に選択可能となしてあることを特徴とする請求項１に記載の連係再生方式の記録再生システム。
【請求項５】
前記再生装置と前記記録再生装置との再生の同期について、同一コンテンツについて時間的な再生位置が同一のポイントから再生を行い、前記再生装置から前記記録再生装置に再生を切り替えても時間的に途切れることなく視聴が可能なシームレス同期となしてあることを特徴とする請求項１から４のいずれかに記載の連係再生方式の記録再生システム。
【請求項６】
前記再生装置と前記記録再生装置との再生の同期について、同一コンテンツについて時間的な再生位置が同一のポイントに対して前または後ろに位置する互いに異なるポイントから再生開始を行う同期とされていることを特徴とする請求項１から４のいずれかに記載の連係再生方式の記録再生システム。
【請求項７】
前記記録再生装置は、前記データの転送コピーの完了の後に、前記再生装置における現在再生中のコンテンツおよび時間的な再生ポイントをモニタしつつ再生スタンバイ状態に入り、再生開始操作に基づいて現在モニタ対象となっているコンテンツについて現在モニタ対象となっている時間的な再生ポイントから再生を開始するように構成されていることを特徴とする請求項１から５のいずれかに記載の連係再生方式の記録再生システム。
【請求項８】
前記再生装置と前記記録再生装置との間の通信がケーブルもしくは無線を介して行われ、前記ケーブルの前記再生装置または前記記録再生装置からの抜去に伴って、もしくは前記無線による通信の途絶に伴って、前記再生装置において電源を切断するように構成してあることを特徴とする請求項１から７のいずれかに記載の連係再生方式の記録再生システム。
【請求項９】
前記再生装置における電源の切断は、前記ケーブルの抜去または前記無線通信の途絶の後、所定時間の経過後に行われるように構成されていることを特徴とする請求項８に記載の連係再生方式の記録再生システム。
【請求項１０】
前記再生装置は、前記ケーブル抜去または前記無線通信途絶に伴う電源の切断に先立って、再生装置における再生を停止するように構成されていることを特徴とする請求項８または９のいずれかに記載の連係再生方式の記録再生システム。
【請求項１１】
前記再生装置が記録機能も併せ有していることを特徴とする請求項１から１０のいずれかに記載の連係再生方式の記録再生システム。
【請求項１２】
前記再生装置が据置型オーディオ機器であり、前記記録再生装置が携帯型オーディオ機器であることを特徴とする請求項１から１１のいずれかに記載の連係再生方式の記録再生システム。
【請求項１３】
前記再生装置が携帯型オーディオ機器であり、前記記録再生装置が据置型オーディオ機器であることを特徴とする請求項１から１１のいずれかに記載の連係再生方式の記録再生システム。
【請求項１４】
前記再生装置が前記記録再生装置の機能と同等の機能を有していることを特徴とする請求項１から１３のいずれかに記載の連係再生方式の記録再生システム。
【請求項１５】
音声データ及び／または画像データを符号化記録／復号再生する記録再生装置との間で前記音声データ及び／または画像データを送受信するためのインタフェースと、前記音声データ及び／または画像データを蓄積媒体に記録、再生するための蓄積メディアドライブと、前記蓄積媒体上のデータをファイルとして扱うためのファイルシステムと、音声データ及び／または画像データを復号してアナログ音声信号及び／またはアナログ画像信号として再生する復号手段とを有し、前記インタフェースを介した前記音声データ及び／または画像データの前記蓄積メディアドライブから前記記録再生装置へのコピー動作は、前記復号手段における前記音声データ及び／または画像データの復号再生動作と、前記記録再生装置における復号再生動作との間に、時間的な再生位置が相対的に一致して再生するような同期を有した状態で行われることを特徴とする連係再生方式の再生装置。
【請求項１６】
前記記録再生装置へコピーする前記音声データ及び／または画像データは、現在再生中の音声データ及び／または画像データを含むファイルシステム上のファイルであることを特徴とする請求項１５に記載の連係再生方式の再生装置。
【請求項１７】
前記記録再生装置へコピーする前記音声データ及び／または画像データは、現在再生中の音声データ及び／または画像データを含むファイルシステム上のファイルとともに、前記ファイルとは異なる前記音声データ及び／または画像データを含む前記ファイルシステム上のファイルであることを特徴とする請求項１５に記載の連係再生方式の再生装置。
【請求項１８】
前記記録再生装置へ転送コピーする前記音声データ及び／または画像データは、現在再生中の音声データ及び／または画像データを含むファイルシステム上のファイルとともに、前記ファイルとは異なる前記音声データ及び／または画像データを含む前記ファイルシステム上の任意のファイルから選択可能であることを特徴とする請求項１５に記載の連係再生方式の再生装置。
【請求項１９】
前記記録再生装置との再生の同期について、同一ファイルにおける時間的な再生位置が同一のポイントから再生を行い、前記再生装置から前記記録再生装置に再生を切り替えても時間的に途切れることなく視聴が可能なシームレス同期となしてあることを特徴とする請求項１５から１８のいずれかに記載の連係再生方式の再生装置。
【請求項２０】
前記記録再生装置との再生の同期について、同一ファイルにおける時間的な再生位置が同一のポイントに対して前または後ろに位置する互いに異なるポイントから再生開始を行う同期とされていることを特徴とする請求項１５から１９のいずれかに記載の連係再生方式の再生装置。
【請求項２１】
前記記録再生装置との間の通信がケーブルもしくは無線を介して行われ、前記ケーブルの抜去に伴ってもしくは無線による通信の途絶に伴って、電源を切断するように構成してあることを特徴とする請求項１５から２０のいずれかに記載の連係再生方式の再生装置。
【請求項２２】
電源の切断は、前記ケーブルの抜去または前記無線通信の途絶の後、所定時間の経過後に行われるように構成されていることを特徴とする請求項２１に記載の連係再生方式の再生装置。
【請求項２３】
前記ケーブル抜去または前記無線通信途絶に伴う電源の切断に先立って、再生を停止するように構成されていることを特徴とする請求項２１または２２に記載の連係再生方式の再生装置。
【請求項２４】
記録機能も併せ有していることを特徴とする請求項１５から２３のいずれかに記載の連係再生方式の再生装置。
【請求項２５】
コンテンツを再生する手段と、他機器との間で情報を送受信する相互通信手段とを有し、ユーザの操作でコンテンツの再生と前記再生中のコンテンツを含むデータの前記他機器への転送を同時に行い、外部要因によって前記相互通信手段を介しての通信が途絶えたことを検知すると所定時間経過後に自動的に再生を停止し電源を切断するように構成されていることを特徴とする連係再生方式の再生装置。
【請求項２６】
音声データ及び／または画像データを復号再生する再生装置との間で前記音声データ及び／または画像データを送受信するためのインタフェースと、前記音声データ及び／または画像データを蓄積媒体に記録、再生するための蓄積メディアドライブと、前記蓄積媒体上のデータをファイルとして扱うためのファイルシステムと、前記音声データ及び／または画像データを復号してアナログ音声信号及び／またはアナログ画像信号として再生する復号手段と、前記アナログ音声信号及び／またはアナログ画像信号を符号化して音声データ及び／または画像データとして記録する符号化手段とを有し、前記再生装置から前記インタフェースを介して前記音声データ及び／または画像データを前記蓄積メディアドライブへ転送コピーする場合のコピー動作は、前記復号手段における前記音声データ及び／または画像データの復号再生動作と、前記再生装置における復号再生動作との間に時間的な再生位置が相対的に一致して再生するような同期を有した状態で行われることを特徴とする連携再生方式の記録再生装置。
【請求項２７】
前記再生装置からコピーする前記音声データ及び／または画像データは、前記再生装置において現在再生中の音声データ及び／または画像データを含むファイルシステム上のファイルであることを特徴とする請求項２６に記載の連係再生方式の記録再生装置。
【請求項２８】
前記再生装置から転送コピーする前記音声データ及び／または画像データは、前記再生装置において現在再生中の音声データ及び／または画像データを含むファイルシステム上のファイルとともに、前記ファイルとは異なる前記音声データ及び／または画像データを含む前記ファイルシステム上のファイルであることを特徴とする請求項２６に記載の連係再生方式の記録再生装置。
【請求項２９】
前記再生装置から転送コピーする前記音声データ及び／または画像データは、前記再生装置において現在再生中の音声データ及び／または画像データを含むファイルシステム上のファイルとともに、前記ファイルとは異なる前記音声データ及び／または画像データを含む前記ファイルシステム上の任意のファイルから選択可能であることを特徴とする請求項２６に記載の連係再生方式の記録再生装置。
【請求項３０】
前記再生装置との再生の同期について、同一ファイルにおける時間的な再生位置が同一のポイントから再生を行い、前記再生装置から前記記録再生装置に再生を切り替えても時間的に途切れることなく視聴が可能なシームレス同期となしてあることを特徴とする請求項２６から２９のいずれかに記載の連係再生方式の記録再生装置。
【請求項３１】
前記再生装置との再生の同期について、同一ファイルにおける時間的な再生位置が同一のポイントから前または後ろに位置する互いに異なる再生ポイントから再生開始を行う同期とされていることを特徴とする請求項２６から２９のいずれかに記載の連係再生方式の記録再生装置。
【請求項３２】
前記音声データ及び／または画像データの転送コピーの完了の後に、前記再生装置における現在再生中のファイルおよび前記ファイルにおける時間的な再生位置をモニタしつつ再生スタンバイ状態に入り、再生開始操作に基づいて前記モニタ中のファイルおよび前記モニタ中のファイルにおける前記モニタ中の時間的な再生位置から再生を開始するように構成されていることを特徴とする請求項２６から３０のいずれかに記載の連係再生方式の記録再生装置。
【請求項３３】
前記再生装置との間の通信がケーブルもしくは無線を介して行われ、前記ケーブルの抜去に伴って、もしくは前記無線による通信の途絶に伴って電源を切断するように構成してあることを特徴とする請求項２６から３２のいずれかに記載の連係再生方式の記録再生装置。
【請求項３４】
電源の切断は、前記ケーブルの抜去または前記無線通信の途絶の後、所定時間の経過後に行われるように構成されていることを特徴とする請求項３３に記載の連係再生方式の記録再生装置。
【請求項３５】
前記ケーブル抜去または前記無線通信途絶に伴う電源の切断に先立って、再生を停止するように構成されていることを特徴とする請求項３３または３４に記載の連係再生方式の記録再生装置。
【請求項３６】
音声データ及び／または画像データを記録再生する手段と、他機器との間で前記音声データ及び／または画像データを含む情報を送受信する相互通信手段とを有し、前記相互通信手段を介して送信される前記情報に含まれるコマンドに従って前記相互通信手段を介して送信される前記音声データ及び／または画像データを記録し、ユーザの操作で前記音声データ及び／または画像のコンテンツの再生を開始し、前記相互通信手段を介してモニタされている前記他機器における時間的な再生位置と同一のポイントから再生を行い、前記他機器から切り替えて再生しても時間的に途切れることなく視聴が可能なシームレス同期していることを特徴とする連係再生方式の記録再生装置。
【発明の詳細な説明】
【０００１】
【発明の属する技術分野】
本発明は、コンテンツ、特には楽曲を中心とするコンテンツ、広くは映像や文字列などを含むコンテンツの再生につき、２つの互いに通信可能な装置どうし間で、再生の共有を可能となすシステムであって、単なる記録媒体の入れ替えやデータの単なるコピーで再生の共有化を図るのではなく、現在再生中のコンテンツと同じコンテンツをリアルタイムに同期化してオンデマンド的に共有化するようにした連係再生方式の記録再生システムに関するものである。また、本発明は、そのシステムに関連した装置に関するものである。
【０００２】
【従来の技術】
近年、民生用ディジタルオーディオ機器は小型化、大容量化、高圧縮率化、ネットワーク化等の技術トレンドで開発が進んでおり、それぞれのニーズ用途に応じた形で複数の記録媒体、記録フォーマットが存在する。例えばＭＰ３（MPeg audio layer3）を用いた固体メモリプレーヤのような超小型軽量機器、記録媒体にＨＤ（ハードディスク）を用いた据置型の大容量音楽サーバ、ＤＶＤオーディオ、スーパーオーディオＣＤのような高音質プレーヤ等、商品形態は多岐に渡る。
【０００３】
一方、高速データ転送機能をもつシリアル・インターフェイス規格のＩＥＥＥ１３９４を用いたディジタルＡＶ機器のネットワーク化も進んでおり、ＩＥＥＥ１３９４に対応したＡＶ機器も増加している。また、他方では、インターネットと固体メモリカードを利用した音楽配信事業も実用化のフェーズに差し掛かってきている。
【０００４】
【発明が解決しようとする課題】
自宅で大容量ＨＤＤを用いた据置型ディジタルオーディオ機器で音楽を聴取していて、聴取中に外出等の用事が発生した場合には、聴取が中断することになる。
【０００５】
また、記録媒体がＭＤ（ミニディスク）等のリムーバブルメディアであって、続きを携帯型のディジタルオーディオプレーヤで聴取しようとした場合には、ミニディスクを据置型ディジタルオーディオ機器から取り出し、その取り出したミニディスクを携帯型ディジタルオーディオ機器にセットするという作業を要する上に、聴取の中断が発生する。この場合、聴取の中断の状態とは、それまで聴いていた楽曲の演奏を止めるということであり、また、外出中等で聴き直すときには、その聴いていた同じ楽曲の選曲を行って初めて再開可能であるということである。言い換えると、据置型機器でそれまで聴いていた楽曲を、そのままリアルタイムに引き続いて携帯型機器で聴くことはできないということである。
【０００６】
本発明はこのような課題を解決し、一方の装置で再生中のときに、他方の装置において、記録媒体の入れ替えなしに、また、コンテンツ再生の中断なしに、同一コンテンツの同時進行的再生を可能とし、コンテンツ鑑賞の連続性を確保することができる連係再生方式の記録再生システム、およびその関連装置、関連方法を提供することを目的としている。
【０００７】
【課題を解決するための手段】
連係再生方式の記録再生システムについての本発明は、次のような手段を講じることにより、上記の課題を解決するものである。
【０００８】
一方の装置は少なくとも再生機能をもっているものとする。これを再生装置と呼ぶことにする。他方の装置は再生機能とともに記録機能をもっているものとする。これを記録再生装置と呼ぶことにする。再生装置で楽曲等のコンテンツを再生しているときに、その再生装置とは別の記録再生装置で同じようにそのコンテンツの再生を可能となすようにする。
【０００９】
そのために、再生装置において現在再生中のコンテンツを含むデータを、その再生装置から記録再生装置に転送しコピーする。このとき、記録再生装置の記録機能を使う。これで、送信元の再生装置と送信先の記録再生装置とは、少なくとも再生装置での現在再生中のコンテンツのデータを共有することになる。転送コピー中において、再生装置ではそのコンテンツの再生が継続している。
【００１０】
転送コピーするデータの態様としては、そのコンテンツひとつに限定する必要性はなく、現在再生中のコンテンツを含むファイルの全体のデータ（例えば、コンテンツが楽曲の場合、そのコンテンツを他の複数のコンテンツとともに含むアルバム全体のデータ）としてもよいし、あるいは、現在再生中のコンテンツを含むファイルの全体のデータとともに、そのファイルの前または後もしくは前後にあるコンテンツのデータとしてもよいし、あるいは、再生装置にセットされている複数のコンテンツの中から任意に選択可能となしてもよい。データ転送のための通信手段としては、有線でもよいし、無線でもよい。有線としては、メタルケーブルでもよいし、光ファイバーケーブルでもよい。無線としては、一般的な電波でもよいし、マイクロ波でもよいし、赤外線でもよい。
【００１１】
上記のように、現在再生中のコンテンツを含むデータを再生装置と記録再生装置とで共有する状態となし、記録再生装置において、その再生機能を用いて、転送コピーで獲得したデータから、再生装置で現在再生中のコンテンツと同じコンテンツについて再生を行うようにする。このとき、再生装置での再生状態と何らかの同期をとって記録再生装置において再生を開始する。その同期としては、同一コンテンツについて同一ポイントから再生開始を行うシームレス同期でもよいし、あるいは、同一コンテンツについて少し前または後ろにずれたポイントから再生開始を行う同期でもよい。あるいはまた、そのコンテンツの先頭からの再生開始という同期でもよい。
【００１２】
以上のようにして、再生装置であるコンテンツを再生しているのと同時進行で、記録再生装置においてもそのコンテンツを再生することになる。換言すれば、同一のコンテンツについて、再生装置での再生と記録再生装置での再生との間に、従来技術の場合のような完全な時間的断絶である途切れをもたらすことなく、時間的な連係を確保した状態での同時進行的再生を可能となしてある。ユーザに対しては、ひとつのコンテンツが再生装置と記録再生装置とで同時に再生されている状況を与えることが可能となっている。
【００１３】
したがって、現在再生中の再生装置から移動して空間的に離れる場所移動状況（その代表例が外出とか出張である）が予定されている場合において、この連係再生方式の記録再生システムの機能を発動させることにより、場所移動にもかかわらず、また、使用装置がまったく別物となるにもかかわらず、ディスクやテープなどの記録媒体の入れ替えなしに、また、コンテンツ再生の中断・途切れなしに、同一コンテンツの同時進行的再生を可能とし、コンテンツの聴取・視聴・鑑賞等の連続性を確保することができるという使い勝手の新たな利便性を提供することができる。
【００１４】
別の利用の仕方として、特にコンテンツが楽曲であるときに、その同じ楽曲を２つ同時にまたは少しずらせて再生することで、コーラスやエコーやビートなど特殊効果をもった状態での再生が可能となり、鑑賞の豊かさをもたらすことも可能である。
【００１５】
なお、コンテンツとしては、通常は楽曲であるが、必ずしもそれにとらわれる必要性はなく、小説などを読み上げる装置における文字列でもよいし、ディジタル化されたものであれば一般的な話し言葉でもよい。また、ディジタル映像であってもよい。
【００１６】
【発明の実施の形態】
以下、本発明の実施の形態を総括的に説明する。
【００１７】
本願第１の発明の連係再生方式の記録再生システムは、再生装置から現在再生中のコンテンツのデータ、もしくは現在再生中のコンテンツを含む複数のコンテンツのデータを記録再生装置に転送コピーし、前記記録再生装置において、前記再生装置が現在再生中のデータの時間的な再生位置を、随時把握し、前記再生装置から前記転送コピーした前記データを、前記再生装置が現在再生中のデータとの時間的な再生位置が相対的に一致して再生できるように同期をとって再生を開始可能に構成してあることを特徴としている。
【００１８】
この第１の発明による作用については、上記の〔課題を解決するための手段〕の項で説明したのと実質的に同様のものとなる。すなわち、転送コピーによって再生装置で現在再生中のコンテンツを含むデータを再生装置と記録再生装置とで共有した上で、転送コピーしたデータを、現在再生中のデータとの時間的な再生位置が相対的に一致して再生できるように同期をとって同じコンテンツについて、再生装置と記録再生装置とで同時進行的な再生を行う状態を獲得することが可能となるので、使用装置が再生装置から記録再生装置へと物理的に別物となるにもかかわらず、ディスクやテープなどの記録媒体の入れ替えなしに、また、中断を余儀なくされることなく、同一コンテンツを同時進行的に再生することを可能とする。したがって、特に、外出など空間的に場所を移動する状況にあっても、時間的連続性つまりは鑑賞上の連続性を確保した状態でのユーザに対するコンテンツ提供を可能とする。
【００１９】
本願第２の発明の連係再生方式の記録再生システムは、上記の第１の発明において、前記再生装置から前記記録再生装置へ転送コピーするデータについて、現在再生中のコンテンツを含むファイルの全体のデータとなしてあるというものである。これは、例えば音楽アルバムに複数の楽曲が含まれているようにひとつのファイルに複数のコンテンツのデータが存在しているときに、現在再生中のコンテンツひとつだけのデータではなく、そのコンテンツを含むファイルの全体のデータを転送コピーする場合のことを記述している。これによって、場所を移動していくにもかかわらず、現在鑑賞しているコンテンツ、あるいは、そのコンテンツに関係がある別のコンテンツまたはコンテンツ群を含めてファイルとしての鑑賞を希望通りに引き続き可能となす。
【００２０】
ただし、他の発明においては、転送コピーは、現在再生中のコンテンツひとつのデータに限ることを妨げないものとする。
【００２１】
本願第３の発明の連係再生方式の記録再生システムは、上記の第１の発明において、前記再生装置から前記記録再生装置へ転送コピーするデータについて、現在再生中のコンテンツを含むファイルの全体のデータとともに、時間的な再生位置が前記ファイルの前または後または前後に配置されたコンテンツのデータ、もしくは前記ファイルとは異なるファイルに存在するコンテンツのデータとなしてあるというものである。これは、ひとつのファイルだけでなく、そのファイルの前にある１つまたは複数のコンテンツあるいは別のファイルを転送コピーしてもよいし、あるいはそのファイルの後ろにある１つまたは複数のコンテンツあるいは別のファイルを転送コピーしてもよいということを記述している。
【００２２】
本願第４の発明の連係再生方式の記録再生システムは、上記の第１の発明において、前記再生装置から前記記録再生装置へ転送コピーするデータについて、現在再生中のコンテンツのデータとともに、前記再生装置で読み出し可能な状態となしてある複数のコンテンツのデータを任意に選択可能となしてあるというものである。ここで、再生装置において複数のコンテンツを読み出し可能な状態とする手段としては、固定の記録媒体でもよいし、リムーバブルな記録媒体でもよい。いずれも、記録媒体の方式としては、磁気記録式のもの、光磁気記録式のもの、相変化型記録式のもの、半導体メモリ方式のものなど何であってもよい。
【００２３】
この第４の発明においては、再生装置におけるコンテンツ選択のプログラムの指定により、任意の組み合わせでのコンテンツ転送コピーが可能である。この場合において、通常は現在再生中のコンテンツは必ず含んでいるのが好ましい。しかし、必ずしもそれにとらわれる必要性はなく、現在再生中のコンテンツを含まない状態での選択も可能とする。それは、再生装置で現在再生中のコンテンツがユーザにとって好ましくないと判断された場合などに該当する。本発明は、そのような多様性、発展性も許容するものである。
【００２４】
本願第５の発明の連係再生方式の記録再生システムは、上記の第１〜第４の発明において、前記再生装置と前記記録再生装置との再生の同期について、同一コンテンツについて時間的な再生位置が同一のポイントから再生を行い、前記再生装置から前記記録再生装置に再生を切り替えても時間的に途切れることなく視聴が可能なシームレス同期となしてあることを特徴とするものである。
【００２５】
この第５の発明による作用は次のとおりである。その場所を離れる直前においては、再生装置と記録再生装置とで同一コンテンツが再生されているが、離れるに従って再生コンテンツは再生装置がサブとなり、記録再生装置がメインとなる。サブのコンテンツもメインのコンテンツも時間的にまったくジャストに同一のシームレス同期であるから、コンテンツ鑑賞においてサブからメインへの移行が全く違和感を感じさせないきわめてスムーズなものとなる。
【００２６】
本願第６の発明の連係再生方式の記録再生システムは、上記の第１〜第４の発明において、前記再生装置と前記記録再生装置との再生の同期について、同一コンテンツについて時間的な再生位置が同一のポイントに対して前または後ろに位置する互いに異なるポイントから再生開始を行う同期とされているというものである。これは、本発明は、両装置の再生同期について、必ずしもシームレス同期のみに限定するものではないということを記述している。
【００２７】
この第６の発明による作用は次のとおりである。特にコンテンツが楽曲であるときに、その同じ楽曲を２つ少しずらせて再生することで、コーラスやエコーやビートなど特殊効果をもった状態での再生が可能となり、鑑賞の豊かさをもたらす。また、ユーザに対して、現在の再生モードが空間移動モードであることを明示的に知らせることが可能となる。
【００２８】
本願第７の発明の連係再生方式の記録再生システムは、上記の第１〜第５の発明において、前記記録再生装置は、前記データの転送コピーの完了の後に、前記再生装置における現在再生中のコンテンツおよび時間的な再生ポイントをモニタしつつ再生スタンバイ状態に入り、再生開始操作に基づいて現在モニタ対象となっているコンテンツについて現在モニタ対象となっている時間的な再生ポイントから再生を開始するように構成されているというものである。これは、シームレス同期再生の技術をより具体的レベルで記述したものに相当している。
【００２９】
この第７の発明による作用は次のとおりである。再生装置と記録再生装置とはデータ転送を行うために、有線または無線による通信が可能となっている。その通信手段を介して、記録再生装置は、再生装置の再生状態をリアルタイムにモニタすることが可能である。現在、どのコンテンツが再生中であるのか、また、そのコンテンツにおいてどの時間的な再生ポイントの再生が実行中であるのかをモニタしつつ、再生スタンバイ状態とする。そして、ユーザによる再生開始操作があったときは、現在モニタ対象のコンテンツについて現在モニタ対象の時間的な再生ポイントからタイミング良く再生することが可能となる。
【００３０】
なお、記録再生装置の再生に対するユーザの操作は、通常は記録再生装置において行うことになるが、必ずしもそれにとらわれる必要性はなく、再生装置においてその操作を行うようにしてもよい。
【００３１】
また、記録再生装置の再生開始については、必ずしもユーザ操作に起因するものである必要性はなく、コンテンツデータの転送コピーの終了と同時に、あるいは終了後の所定時間の経過後に自動的に再生開始してもよい。あるいは、後述するケーブル抜去や無線通信途絶に起因して再生開始させてもよい。
【００３２】
本願第８の発明の連係再生方式の記録再生システムは、上記の第１〜第７の発明において、前記再生装置と前記記録再生装置との間の通信がケーブルもしくは無線を介して行われ、前記ケーブルの前記再生装置または前記記録再生装置からの抜去に伴って、もしくは前記無線による通信の途絶に伴って、前記再生装置において電源を切断するように構成してあることを特徴としている。これは、送信側の再生装置をいつ動作停止させるかについて記述したものである。
【００３３】
この第８の発明による作用は次のとおりである。この発明は、ユーザがその場所を離れると、送信側の再生装置は、使用上、不要になることを想定している。その場所を離れるときに記録再生装置を携帯することになるが、記録再生装置は再生装置に対してケーブルを介してつながっているので、移動に際しては、ケーブルを抜去することが必要となる。再生装置は、そのケーブル抜去を検出すると、電源をオフにするのである。ユーザとしては、再生装置そのものにおいて電源オフの操作をする必要性がなく、操作上の利便性がある。また、再生装置が駆動されっぱなしによる無駄な電力消費を防止することができる。
【００３４】
なお、ケーブル抜去の検出としては、再生装置からケーブルが抜去されたことの検出のほか、記録再生装置からケーブルが抜去されたことの検出でもよい。さらには、その双方の抜去が検出されたときでもよい。
【００３５】
なお、ユーザ以外の人がその場に残ることも考慮して、モード設定により、再生装置の駆動継続を行うように構成してもよい。
【００３６】
場合によっては、再生装置の電源オフにつき、必ずしもケーブル抜去を要件としなくてもよきものとする。すなわち、再生装置にはケーブルがつながったままにして、記録再生装置を持ち運ぶという事態が想定される。したがって、ケーブルの抜去ではなく、転送コピーの後に再生装置と記録再生装置との間の通信が所定時間以上にわたって途絶していることを検出したときに、再生装置の電源をオフにするように構成してもよい。
【００３７】
なお、無線通信の場合にも、通信がケーブルを介して行われる場合と同じことが当てはまる。
【００３８】
本願第９の発明の連係再生方式の記録再生システムは、上記の第８の発明において、前記再生装置における電源の切断は、前記ケーブルの抜去または前記無線通信の途絶の後、所定時間の経過後に行われるように構成されているというものである。
【００３９】
この第９の発明による作用は次のとおりである。ユーザがその場所から離れていくときには、携行している記録再生装置においてコンテンツの継続的な再生がすでに始まっているが、再生装置の方でも引き続いて同じコンテンツの再生を所定時間にわたって続けさせる。再生装置は据置型のものが一般的であるが、その再生能力や再生機能は通常は携帯型のものに比べて優れたものであることが多い。その優れた再生能力・機能でのコンテンツ再生を味わいつつ、同時に携帯の装置での連係再生を行いつつ、その場所から離れるといった利用形態をとるものとなっている。そして、所定時間の経過後に再生装置の電源をオフにするのである。その場所から離れるときに、いきなり、元のコンテンツ再生を停止してしまうのではなく、元のコンテンツ再生を充分に味わいつつ離れていくのである。つまり、ダイナミックシフトが可能である。また、ユーザフレンドリーな連続的再生となる。
【００４０】
なお、この場合、通信形態がケーブル利用のものであっても、必ずしもケーブル抜去を要件としなくてもよい。ケーブルは常時的に接続しておき、通信状態が途絶したことの検出に基づいて、所定時間経過後に再生装置の電源をオフにすればよい。
【００４１】
本願第１０の発明の連係再生方式の記録再生システムは、上記の第８・第９の発明において、前記再生装置は、前記ケーブル抜去または前記無線通信途絶に伴う電源の切断に先立って、再生装置における再生を停止するように構成されているというものである。これは、再生装置の再生動作を停止させるのに、その電源オフによって停止させるのではなく、制御信号による再生停止指令に基づいて再生動作を停止させることを記述している。このような制御による再生停止のあとで電源をオフにするのである。
【００４２】
本願第１１の発明の連係再生方式の記録再生システムは、上記の第１〜第１０の発明において、前記再生装置が記録機能も併せ有しているというものである。データ転送の元である再生装置は、一般的に据置型である場合が多いが、そのような据置型の再生装置は、再生専用のものに限る必要性はなく、記録再生機能をもつものであってもよいのである。ただし、本発明の所期の機能や作用・効果を得るためには、送信元の装置としては、必ずしも記録機能をもっている必要がないこともまた明らかであり、このことの主張をしているのである。
【００４３】
本願第１２の発明の連係再生方式の記録再生システムは、上記の第１〜第１１の発明において、前記再生装置が据置型オーディオ機器であり、前記記録再生装置が携帯型オーディオ機器であるというものである。
【００４４】
この第１２の発明による作用は次のとおりである。本発明にいう連係再生方式の記録再生は、そのコンテンツとしてオーディオが最もふさわしいのである。ある楽曲を聴いている途中で外出等その場を離れなくてはならなくなったときに、据置型オーディオ機器から記録媒体を取り外して携帯型オーディオ機器に移し替えるといった面倒な作業をしなくても、いま、据置型オーディオ機器で聴いていた楽曲そのものを、それが記録媒体のどの順位に記録されているかにかかわらず、そのまま引き続いて携帯型オーディオ機器で聴きながら、その場を離れることができ、オーディオ機器が別のものに変わるにもかかわらず、音楽の継続した楽しみを味わうことができるという利便性がある。
【００４５】
本願第１３の発明の連係再生方式の記録再生システムは、上記の第１〜第１１の発明において、前記再生装置が携帯型オーディオ機器であり、前記記録再生装置が据置型オーディオ機器であるというものである。これは、上記の第１２の発明とは逆の場合を想定している。
【００４６】
この第１３の発明による作用は次のとおりである。外出中などに携帯型オーディオ機器で楽曲を楽しんでいる状態から帰宅した場合に、同じ楽曲を据置型オーディオ機器で引き続いて楽しみたいときに便利である。このときは、携帯型オーディオ機器から据置型オーディオ機器に現在再生中の楽曲のデータを転送コピーし、それから再生を開始することになる。なお、転送コピーに際しては、前もって通信状態を確保する必要がある。
【００４７】
本願第１４の発明の連係再生方式の記録再生システムは、上記の第１〜第１３の発明において、前記再生装置が前記記録再生装置の機能と同等の機能を有しているというものである。これは、コンテンツを含むデータを送信する側の再生装置が再生専用ではなく記録機能を有していることを意味するとともに、この記録機能付きの再生装置が記録再生装置からコンテンツを含むデータの送信を受けてコピーを行い、上述したところの本発明のポイントである同期的な連係再生を再生装置側で行えるようにしたものである。２つの記録再生装置が同期的な連係再生の機能をともにもっており、インタラクティブ性を確保している。
【００４８】
本願第１５の発明の連係再生方式の再生装置は、音声データ及び／または画像データを符号化記録／復号再生する記録再生装置との間で前記音声データ及び／または画像データを送受信するためのインタフェースと、前記音声データ及び／または画像データを蓄積媒体に記録、再生するための蓄積メディアドライブと、前記蓄積媒体上のデータをファイルとして扱うためのファイルシステムと、音声データ及び／または画像データを復号してアナログ音声信号及び／またはアナログ画像信号として再生する復号手段とを有し、前記インタフェースを介した前記音声データ及び／または画像データの前記蓄積メディアドライブから前記記録再生装置へのコピー動作は、前記復号手段における前記音声データ及び／または画像データの復号再生動作と、前記記録再生装置における復号再生動作との間に、時間的な再生位置が相対的に一致して再生するような同期を有した状態で行われることを特徴としている。
本願第１６の発明の連係再生方式の再生装置は、上記本願第１５の発明において、前記記録再生装置へコピーする前記音声データ及び／または画像データは、現在再生中の音声データ及び／または画像データを含むファイルシステム上のファイルであるというものである。
本願第１７の発明の連係再生方式の再生装置は、上記本願第１５の発明において、前記記録再生装置へコピーする前記音声データ及び／または画像データは、現在再生中の音声データ及び／または画像データを含むファイルシステム上のファイルとともに、前記ファイルとは異なる前記音声データ及び／または画像データを含む前記ファイルシステム上のファイルであるというものである。
本願第１８の発明の連係再生方式の再生装置は、上記本願第１５の発明において、前記記録再生装置へ転送コピーする前記音声データ及び／または画像データは、現在再生中の音声データ及び／または画像データを含むファイルシステム上のファイルとともに、前記ファイルとは異なる前記音声データ及び／または画像データを含む前記ファイルシステム上の任意のファイルから選択可能であるというものである。
本願第１９の発明の連係再生方式の再生装置は、上記本願第１５〜第１８の発明において、前記記録再生装置との再生の同期について、同一ファイルにおける時間的な再生位置が同一のポイントから再生を行い、前記再生装置から前記記録再生装置に再生を切り替えても時間的に途切れることなく視聴が可能なシームレス同期となしてあるというものである。
本願第２０の発明の連係再生方式の再生装置は、上記本願第１５〜第１９の発明において、前記記録再生装置との再生の同期について、同一ファイルにおける時間的な再生位置が同一のポイントに対して前または後ろに位置する互いに異なるポイントから再生開始を行う同期とされているというものである。
本願第２１の発明の連係再生方式の再生装置は、上記本願第１５〜第２０の発明において、前記記録再生装置との間の通信がケーブルもしくは無線を介して行われ、前記ケーブルの抜去に伴ってもしくは無線による通信の途絶に伴って、電源を切断するように構成してあるというものである。
本願第２２の発明の連係再生方式の再生装置は、上記本願第２１の発明において、電源の切断は、前記ケーブルの抜去または前記無線通信の途絶の後、所定時間の経過後に行われるように構成されているというものである。
本願第２３の発明の連係再生方式の再生装置は、上記本願第２１・第２２の発明において、前記ケーブル抜去または前記無線通信途絶に伴う電源の切断に先立って、再生を停止するように構成されているというものである。
本願第２４の発明の連係再生方式の再生装置は、上記本願第１５〜第２３の発明において、記録機能も併せ有しているというものである。
【００４９】
本願第２５の発明の連係再生方式の再生装置は、コンテンツを再生する手段と、他機器との間で情報を送受信する相互通信手段とを有し、ユーザの操作でコンテンツの再生と前記再生中のコンテンツを含むデータの前記他機器への転送を同時に行い、外部要因によって前記相互通信手段を介しての通信が途絶えたことを検知すると所定時間経過後に自動的に再生を停止し電源を切断するように構成されていることを特徴としている。
【００５０】
この第２５の発明による作用は次のとおりである。この再生装置においてコンテンツを再生しながら、相互通信手段を介してそのコンテンツを含むデータを相手側の記録再生装置に転送コピーさせる。このときの転送コピーは、そのコンテンツの再生を継続しながら行う。ケーブルの離脱や無線通信の途切れを検出しないうちは、そのコンテンツの再生状態を維持する。そして、その検出を行うと、所定時間が経過するまでさらに、そのコンテンツの再生状態を維持する。そして、所定時間が経過すると、再生を停止してから電源をオフにする。これによって、ユーザが携行する機器に必要なデータを与え、ユーザを見送るようなかたちでのフレンドリーな再生終了が可能となる。
【００５１】
本願第２６の発明の連携再生方式の記録再生装置は、音声データ及び／または画像データを復号再生する再生装置との間で前記音声データ及び／または画像データを送受信するためのインタフェースと、前記音声データ及び／または画像データを蓄積媒体に記録、再生するための蓄積メディアドライブと、前記蓄積媒体上のデータをファイルとして扱うためのファイルシステムと、前記音声データ及び／または画像データを復号してアナログ音声信号及び／またはアナログ画像信号として再生する復号手段と、前記アナログ音声信号及び／またはアナログ画像信号を符号化して音声データ及び／または画像データとして記録する符号化手段とを有し、前記再生装置から前記インタフェースを介して前記音声データ及び／または画像データを前記蓄積メディアドライブへ転送コピーする場合のコピー動作は、前記復号手段における前記音声データ及び／または画像データの復号再生動作と、前記再生装置における復号再生動作との間に時間的な再生位置が相対的に一致して再生するような同期を有した状態で行われることを特徴としている。
本願第２７の発明の連携再生方式の記録再生装置は、上記本願第２６の発明において、前記再生装置からコピーする前記音声データ及び／または画像データは、前記再生装置において現在再生中の音声データ及び／または画像データを含むファイルシステム上のファイルであるというものである。
本願第２８の発明の連携再生方式の記録再生装置は、上記本願第２６の発明において、前記再生装置から転送コピーする前記音声データ及び／または画像データは、前記再生装置において現在再生中の音声データ及び／または画像データを含むファイルシステム上のファイルとともに、前記ファイルとは異なる前記音声データ及び／または画像データを含む前記ファイルシステム上のファイルであるというものである。
本願第２９の発明の連携再生方式の記録再生装置は、上記本願第２６の発明において、前記再生装置から転送コピーする前記音声データ及び／または画像データは、前記再生装置において現在再生中の音声データ及び／または画像データを含むファイルシステム上のファイルとともに、前記ファイルとは異なる前記音声データ及び／または画像データを含む前記ファイルシステム上の任意のファイルから選択可能であるというものである。
本願第３０の発明の連携再生方式の記録再生装置は、上記本願第２６〜第２９の発明において、前記再生装置との再生の同期について、同一ファイルにおける時間的な再生位置が同一のポイントから再生を行い、前記再生装置から前記記録再生装置に再生を切り替えても時間的に途切れることなく視聴が可能なシームレス同期となしてあるというものである。
本願第３１の発明の連携再生方式の記録再生装置は、上記本願第２６〜第２９の発明において、前記再生装置との再生の同期について、同一ファイルにおける時間的な再生位置が同一のポイントから前または後ろに位置する互いに異なる再生ポイントから再生開始を行う同期とされているというものである。
本願第３２の発明の連携再生方式の記録再生装置は、上記本願第２６〜第３０の発明において、前記音声データ及び／または画像データの転送コピーの完了の後に、前記再生装置における現在再生中のファイルおよび前記ファイルにおける時間的な再生位置をモニタしつつ再生スタンバイ状態に入り、再生開始操作に基づいて前記モニタ中のファイルおよび前記モニタ中のファイルにおける前記モニタ中の時間的な再生位置から再生を開始するように構成されているというものである。
本願第３３の発明の連携再生方式の記録再生装置は、上記本願第２６〜第３２の発明において、前記再生装置との間の通信がケーブルもしくは無線を介して行われ、前記ケーブルの抜去に伴って、もしくは前記無線による通信の途絶に伴って電源を切断するように構成してあるというものである。
本願第３４の発明の連携再生方式の記録再生装置は、上記本願第３３の発明において、電源の切断は、前記ケーブルの抜去または前記無線通信の途絶の後、所定時間の経過後に行われるように構成されているというものである。
本願第３５の発明の連携再生方式の記録再生装置は、上記本願第３３・第３４の発明において、前記ケーブル抜去または前記無線通信途絶に伴う電源の切断に先立って、再生を停止するように構成されているというものである。
【００５２】
本願第３６の発明の連係再生方式の記録再生装置は、音声データ及び／または画像データを記録再生する手段と、他機器との間で前記音声データ及び／または画像データを含む情報を送受信する相互通信手段とを有し、前記相互通信手段を介して送信される前記情報に含まれるコマンドに従って前記相互通信手段を介して送信される前記音声データ及び／または画像データを記録し、ユーザの操作で前記音声データ及び／または画像のコンテンツの再生を開始し、前記相互通信手段を介してモニタされている前記他機器における時間的な再生位置と同一のポイントから再生を行い、前記他機器から切り替えて再生しても時間的に途切れることなく視聴が可能なシームレス同期していることを特徴としている。
【００５３】
この第３６の発明による作用は次のとおりである。相手側の再生装置があるコンテンツを再生している状態で、当方の記録再生装置において連係再生の操作を与えると、相互通信手段を介して相手側の再生装置からそのコンテンツのデータが送信され、当方の記録再生装置ではそのデータをコピーする。そのコピーが終了すると、相互通信手段を介して相手側の再生装置の再生状態をモニタする。つまり、現在どのコンテンツについてどの時間的な再生ポイントを再生しているかを監視し、再生スタンバイ状態とする。そして、再生の指示の操作を与えると、相手側の機器とシームレス同期をとりながらの再生を開始する。
【００５６】
なお、上記いずれの発明にも該当することであるが、２つの装置を用いての連係的な再生を行うのは、必ずしも、外出や出張など、いま居る家屋、建物等からの出入りの場合のみに限る必要性はなく、例えば同じ家屋にいて、ある部屋には送信元の再生装置があり、別の部屋には送信先の記録再生装置があり、両装置を常時的に接続した状態で、上記同様の作用・効果を得るように構成することも可能である。例えば、居間と個室との間でのやりとりや、個室と風呂との間のやりとりなどにも適用可能である。
【００５７】
（具体的な実施の形態）
以下、本発明にかかわる連係再生方式の記録再生システムの具体的な実施の形態を図面に基づいて詳細に説明する。
【００５８】
図１は本発明の実施の形態における連係再生方式の記録再生システムの概略的な構成及び処理の手順を示す概念図である。図１に示すように、据置型オーディオ機器１０１と携帯型オーディオ機器１０２は双方向通信可能な通信ケーブル１０３を介して接続されている。このとき、ユーザは据置型オーディオ機器１０１で音楽を聴取しており、携帯型オーディオ機器１０２の主電源は入っておらず、通信ケーブル１０３を介しての通信機能のみ機能している状態であるとする。
【００５９】
（１）ユーザが据置型オーディオ機器１０１に対して外出スタンバイのキー入力操作を実行すると、据置型オーディオ機器１０１は通信ケーブル１０３を介して携帯型オーディオ機器１０２の電源をＯＮにする。
【００６０】
（２）引き続き、据置型オーディオ機器１０１で現在再生中の楽曲を含むアルバム及びその前後の部分を通信ケーブル１０３を介して携帯型オーディオ機器１０２に蓄積可能な単位でコピーする。この間も据置型オーディオ機器１０１の再生状態は途切れることなく継続している。
【００６１】
（３）ファイルのコピーが完了すると、携帯型オーディオ機器１０２は据置型オーディオ機器１０１の再生位置を通信ケーブル１０３を介してモニタしながら、先程コピーしたファイル上での据置型オーディオ機器１０１との同一の再生位置をシークし、シークが完了すると、携帯型オーディオ機器１０２は再生レディの状態（スタンバイ状態）に入ったことをユーザに通知する。
【００６２】
（４）ユーザはその通知を確認した上で、携帯型オーディオ機器１０２の再生開始操作を実行する。
【００６３】
（５）携帯型オーディオ機器１０２は据置型オーディオ機器１０１の再生状態に同期する状態で同一時刻に同一楽曲の同一ポイントを再生する。
【００６４】
（６）その後、ユーザは実際に外出するのに際し、通信ケーブル１０３を抜去して携帯型オーディオ機器１０２を持ち出すことになる。
【００６５】
（７）据置型オーディオ機器１０１は通信ケーブル１０３の抜去を検出すると、自動的に所定時間経過後に再生を停止して電源をオフにする。
【００６６】
図２は本発明の実施の形態における連係再生方式の記録再生システムにおいて据置型オーディオ機器と携帯型オーディオ機器の内部構成を示すブロック図である。
【００６７】
図２に示すように、据置型オーディオ機器１０１は２台のハードディスクドライブ（ＨＤＤ）２０１，２０２を有し、ＩＤＥバス２０３でバス接続されている。ＩＤＥバス２０３はＩＤＥ（ＡＴＡ）／ＣＰＵブリッジ２０４を介してＣＰＵバス２０７にバス接続されており、ＣＰＵ２０５は間接的にハードディスクドライブ２０１，２０２の制御が可能である。ＣＰＵバス２０７には制御デバイスとして、ＭＰ３エンコーダ／デコーダ２０８、ＩＥＥＥ１３９４ Ｌｉｎｋ ＬＳＩ２１０がバス接続されており、ＣＰＵ２０５によって制御される。メモリ２０６はＣＰＵ２０５のプログラムＲＯＭエリアとワークＲＡＭエリアより構成されている。ＩＥＥＥ１３９４ Ｐｈｙ ＬＳＩ ２０９はＩＥＥＥ１３９４ ＬｉｎｋＬＳＩ ２１０とのインターフェイスで機能する。ＩＥＥＥ１３９４ Ｐｈｙ ＬＳＩ ２０９の機能のうちＣＰＵ２０５からの制御が必要な部分に関してはＩＥＥＥ１３９４ Ｌｉｎｋ ＬＳＩ ２１０のレジスタを介して行う。外部機器との入出力端子としては、ＩＥＥＥ１３９４入出力端子２１６の他に、ＰＣＭ（パルス符号変調）もしくはビットストリームのディジタル信号を扱うオプティカルＩ／Ｆ入出力端子２１５とアナログ信号を扱うアナログ入力端子２１３、アナログ出力端子２１４がある。アナログ信号は、Ａ／Ｄコンバータ２１１でＡ／Ｄ変換され、また、Ｄ／Ａコンバータ２１２でＤ／Ａ変換されるＰＣＭディジタル信号としてＭＰ３エンコーダ／デコーダ２０８に入出力される。
【００６８】
携帯型オーディオ機器１０２はコンパクトフラッシュ（ＣＦ）カードスロット２１８を有し、リムーバブルなコンパクトフラッシュ（ＣＦ）カード２１９をデータの蓄積媒体としている。このカードスロット２１８はＡＴＡ／ＣＰＵインターフェイス２２０を介してＣＰＵバス２２３にバス接続されており、ＣＰＵ２２１は間接的にＣＦカードスロット２１８に挿入されたＣＦカード２１９の制御が可能である。その他の基本ハードウェアブロックは据置型オーディオ機器１０１と同様の機能を有する。すなわち、２２１はＣＰＵ、２２２はメモリ、２２４はＭＰ３エンコーダ／デコーダ、２２５はＩＥＥＥ１３９４ Ｐｈｙ ＬＳＩ 、２２６はＩＥＥＥ１３９４ Ｌｉｎｋ ＬＳＩ 、２２７はＡ／Ｄコンバータ、２２８はＤ／Ａコンバータ、２２９はアナログ入力端子、２３０はアナログ出力端子、２３１はオプティカルＩ／Ｆ入出力端子、２３２はＩＥＥＥ１３９４入出力端子である。但し、ＣＰＵのパフォーマンス、メモリ容量、主要ＬＳＩの機能、消費電力等は携帯型オーディオ機器１０２用に最適化されている。
【００６９】
そして、据置型オーディオ機器１０１のＩＥＥＥ１３９４入出力端子２１６と携帯型オーディオ機器１０２のＩＥＥＥ１３９４入出力端子２３２とが着脱自在な双方向通信方式のＩＥＥＥ１３９４ケーブル２１７を介して接続されるようになっている。
【００７０】
図３、図４は本発明の実施の形態における連係再生方式の記録再生システムにおける据置型オーディオ機器のソフトウェア構成図を示す。図３は据置型オーディオ機器１０１のソフトウェア構成図である。最下層から順にハードウェア層、デバイスドライバ層、基本ソフトウェア層、アプリケーション層の階層構造を成している。ドライバ層から上位の階層がソフトウェアモジュールであり、メモリ２０６上に実装され、ＣＰＵ２０５によって命令が解釈、実行される。ＩＤＥ／ＣＰＵブリッジ２０４のドライバがＡＴＡ（ＩＤＥ）制御３１１であり、ＡＴＡコマンド、データのやり取りを司る。ＭＰ３エンコーダ／デコーダ２０８のドライバであるＭＰ３エンコーダ制御３１２、ＭＰ３デコーダ制御３１３はそれぞれＭＰ３エンコーダ／デコーダ２０８のエンコード機能、デコード機能の制御を行う。ＩＥＥＥ１３９４Ｌｉｎｋ／Ｐｈｙ制御３１５はＩＥＥＥ１３９４ Ｌｉｎｋ ＬＳＩ ２１０の制御を行うとともに、ＩＥＥＥ１３９４ Ｌｉｎｋ ＬＳＩ ２１０を介してＩＥＥＥ１３９４ Ｐｈｙ ＬＳＩ ２０９の一部機能の制御も行う。ＡＶデータ転送３１４はＩＥＥＥ１３９４によるＡＶデータのリアルタイム転送（アイソクロナス転送）をサポートするためのドライバ群である。
【００７１】
各ドライバの上位階層にはそれぞれのドライバを使用する基本ソフトが実装される。ＦＡＴ（File Allocation Table）ファイルシステム３０７はハードディスクドライブ２０１，２０２上のデータをＦＡＴファイルシステムに準拠したフォーマットで扱うことを実現する。ビットストリーム記録／再生３０８は各ドライバを用いてＭＰ３ビットストリームの蓄積媒体上への記録、再生を行う。ＩＥＥＥ１３９４ＡＶ／Ｃ制御３０９はＩＥＥＥ１３９４ＡＶ／Ｃコマンドセットをサポートする基本ソフトである。
【００７２】
最上位階層にはユーザインターフェースを含むアプリケーション層が実装される。ファイル編集３０１はファイルのブラウズ、コピー、削除、移動の各機能をサポートする。ＭＰ３録音３０２、ＭＰ３再生３０３はＭＰ３ファイルの作成、再生、早送り再生、巻戻し再生等を実現する。高速ダビング３０４、機器間相互制御３０５はそれぞれＩＥＥＥ１３９４で接続された機器間での高速なダビング、ＡＶ／Ｃコマンドを利用した遠隔操作を提供するアプリケーションである。アプリケーション層全体はアプリケーション制御３０６によって制御される。また、ソフトウェア全体における各タスク間の調停はリアルタイムＯＳ３１０が司っている。
【００７３】
図４は携帯型オーディオ機器１０２のソフトウェア構成図である。ハードウェアの構成及びＣＰＵのパフォーマンス、メモリ容量に起因した仕様及び機能の相違は存在するが、各ソフトウェアモジュールの機能的な相関は基本的に図３と同様である。すなわち、デバイスドライバ層において、４１１はＡＴＡ（ＩＤＥ）制御、４１２はＭＰ３エンコーダ制御、４１３はＭＰ３デコーダ制御、４１４はＡＶデータ転送、４１５はＩＥＥＥ１３９４Ｌｉｎｋ／Ｐｈｙ制御であり、基本ソフトウェア層において、４０７はＦＡＴファイルシステム、４０８はビットストリーム記録／再生、４０９はＩＥＥＥ１３９４ＡＶ／Ｃ制御、４１０はリアルタイムＯＳであり、アプリケーション層において、４０１はファイル編集、４０２はＭＰ３録音、４０３はＭＰ３再生、４０４は高速ダビング、４０５は機器間相互制御、４０６はアプリケーション制御である。
【００７４】
次に、上記のように構成された本発明の実施の形態における連係再生方式の記録再生システムの具体的な動作を図１〜図４に関連づけた形で説明する。以下の説明において、据置型オーディオ機器１０１と携帯型オーディオ機器１０２とのデータや制御信号のやりとりはＩＥＥＥ１３９４ケーブル２１７を介して双方向的に行われるものとする。
【００７５】
据置型オーディオ機器１０１において、ＭＰ３再生３０３の再生機能によってハードディスクドライブ２０１上に記録されているＭＰ３のファイルを再生しているときに、ユーザから外出スタンバイのキー入力を受け付けると、機器間相互制御３０５のユーザインターフェースを介してＡＶデータ転送３１４を起動し、携帯型オーディオ機器１０２に対してＩＥＥＥ１３９４のコネクションを確立する。
【００７６】
コネクションが確立すると、ＩＥＥＥ１３９４ＡＶ／Ｃ制御３０９からＩＥＥＥ１３９４バスに対してコマンドを発行して携帯型オーディオ機器１０２上のＣＦカード２１９の記録可能容量を読み出す。ＦＡＴファイルシステム３０７及びビットストリーム記録／再生３０８を用いて、現在の再生位置を含んだコンテンツの転送ファイル単位及びディスク上におけるファイルの位置を、先に読み出した携帯型オーディオ機器上のＣＦカード２１９の記録可能容量に基づいて算出する。
【００７７】
引き続いて、転送するファイルをハードディスクドライブ２０１から読み出し、ＡＶデータ転送３１４でデータをソースパケット化し、ヘッダにタイムスタンプを付加した状態で１３９４バスにアイソクロナス転送する。
【００７８】
このとき、１３９４バスのアイソクロナス転送レートとリアルタイム再生をしているＭＰ３データのビットレートの和よりも充分高いレートでハードディスクドライブ２０１からデータが読み出され、ＡＴＡ制御３１１によってデータのバッファリングとトラックジャンプを繰り返すことで、破綻のないＭＰ３リアルタイム再生とアイソクロナス転送の両立を実現している。
【００７９】
据置型オーディオ機器１０１においては、アイソクロナス転送終了後もＭＰ３のリアルタイム再生は継続している。
【００８０】
ユーザが外出する等のためにＩＥＥＥ１３９４ケーブル２１７を抜去する。ＩＥＥＥ１３９４ Ｐｈｙ ＬＳＩ ２０９がＩＥＥＥ１３９４ケーブル２１７の抜去を検出すると、据置型オーディオ機器１０１は自動的に所定時間後に再生を停止し、電源をオフする。
【００８１】
次に、一連の動作を携帯型オーディオ機器１０２の側から説明する。据置型オーディオ機器１０１に対するユーザからの外出スタンバイキー入力によって機器間相互制御３０５のユーザインターフェースを介してＡＶデータ転送４１４が起動され、据置型オーディオ機器１０１とのＩＥＥＥ１３９４コネクションを確立する。
【００８２】
コネクションが確立すると、据置型オーディオ機器１０１のＩＥＥＥ１３９４ＡＶ／Ｃ制御３０９から１３９４バスに対してコマンドが発行され、ＣＦカード２１９の記録可能容量の読み出しが要求されるので、ＦＡＴファイルシステム４０７を起動してＣＦカード２１９の記録可能容量を算出し、ＩＥＥＥ１３９４ＡＶ／Ｃ制御４０９を起動して、算出した容量を応答コマンドとして１３９４バス上に流す。
【００８３】
引き続いて、据置型オーディオ機器１０１において、転送するファイルがハードディスクドライブ２０１から読み出され、ＡＶデータ転送３１４でデータをソースパケット化し、ヘッダにタイムスタンプを付加した状態で１３９４バスにアイソクロナス転送される。
【００８４】
アイソクロナス転送されたデータは１３９４Ｉ／Ｆから受信され、ＡＶデータ転送４１４がソースパケットをストリームデータに展開してビットストリーム記録／再生４０８によってＣＦカード２１９上に記録される。
【００８５】
記録が完了すると、ＩＥＥＥ１３９４ＡＶ／Ｃ制御４０９を起動して１３９４バスを介して据置型オーディオ機器１０１の再生トラック、タイムコードを読み出すコマンドを発行する。据置型オーディオ機器１０１からの応答コマンドを解釈して、再生位置を随時モニタしながらビットストリーム記録／再生４０８を起動して再生スタンバイ状態に入る。
【００８６】
ユーザによって再生のキー操作が実行されると、１３９４バスを介してモニタした据置型オーディオ機器１０１の再生トラック、タイムコードと同じ位置から再生を開始し、同期再生を実現する。
【００８７】
その後、ユーザが１３９４ケーブル２１７を抜去し、携帯型オーディオ機器１０２を持って外出しても、据置型オーディオ機器１０１の再生状態を維持した形で聴取を継続することが可能である。
【００８８】
以上、ひとつの実施の形態について詳しく説明してきたが、本発明は次のように変形した態様の実施の形態も含むものである。
【００８９】
据置型オーディオ機器１０１としては、オプティカルＩ／Ｆ入出力端子２１５やアナログ入力端子２１３およびＡ／Ｄコンバータ２１１を持たないものに構成してもよい。携帯型オーディオ機器１０２としては、オプティカルＩ／Ｆ入出力端子２３１やアナログ入力端子２２９およびＡ／Ｄコンバータ２２７を持たないものに構成してもよい。
【００９０】
据置型オーディオ機器１０１におけるＩＤＥ（ＡＴＡ）／ＣＰＵブリッジ２０４や携帯型オーディオ機器１０２におけるＡＴＡ／ＣＰＵインターフェイス２２０に代えて、仕様を異にするブリッジ、インターフェイスを用いてもよい。また、ＭＰ３エンコーダ／デコーダ２０８，２２４に代えて、ＭＰＥＧやＡＴＲＡＣなど仕様を異にするエンコーダ／デコーダあるいはコーデックを用いてもよい。ＣＦカード２１９に代えて、他の方式のリムーバブル半導体メモリとしてもよいし、内蔵型半導体メモリとしてもよい。あるいは、メモリ２２２で兼用してもよい。ＩＥＥＥ１３９４ケーブル２１７は１００Ｍ／２００Ｍ４００Ｍｂｐｓなどの高速データ転送が可能なメタルケーブルであるが、これに代えて、他の方式のメタルケーブルあるいは光ファイバーを用いてもよい。
【００９１】
すでに説明したが、連係再生方式の記録再生システムにおける送信元の再生装置や送信先の記録再生装置としては、オーディオ機器でなくてもよく、ＤＶＤプレーヤなどのオーディオビジュアル機器であってもよい。
【００９２】
【発明の効果】
連係再生方式の記録再生システムおよびその関連装置についての本発明によれば、現在再生中の再生装置から移動して空間的に離れる場所移動状況（例えば外出など）が予定されている場合において、この連係再生方式の記録再生システムの機能を発動させることにより、場所移動にもかかわらず、また、使用装置がまったく別物となるにもかかわらず、ディスクやテープなどの記録媒体の入れ替えなしに、また、コンテンツ再生の中断・途切れなしに、同一コンテンツの同時進行的再生を可能とし、コンテンツの聴取・視聴・鑑賞等の連続性を確保することができるという使い勝手の新たな利便性を提供することができる。
【図面の簡単な説明】
【図１】  本発明の実施の形態における連係再生方式の記録再生システムの概略的な構成及び処理の手順を示す概念図
【図２】  本発明の実施の形態における連係再生方式の記録再生システムにおける据置型オーディオ機器と携帯型オーディオ機器の内部構成を示すブロック図
【図３】  本発明の実施の形態における連係再生方式の記録再生システムの据置型オーディオ機器でのソフトウェア構成図
【図４】  本発明の実施の形態における連係再生方式の記録再生システムの携帯型オーディオ機器でのソフトウェア構成図
【符号の説明】
１０１  据置型オーディオ機器
１０２  携帯型オーディオ機器
１０３  通信ケーブル
２０１，２０２  ハードディスクドライブ（ＨＤＤ）
２０３  ＩＤＥバス
２０４  ＩＤＥ（ＡＴＡ）／ＣＰＵブリッジ
２０５，２２１  ＣＰＵ
２０６，２２２  メモリ
２０７，２２３  ＣＰＵバス
２０８，２２４  ＭＰ３エンコーダ／デコーダ
２０９，２２５  ＩＥＥＥ１３９４ Ｐｈｙ ＬＳＩ
２１０，２２６  ＩＥＥＥ１３９４ Ｌｉｎｋ ＬＳＩ
２１１，２２７  Ａ／Ｄコンバータ
２１２，２２８  Ｄ／Ａコンバータ
２１３，２２９  アナログ入力端子
２１４，２３０  アナログ出力端子
２１５，２３１  オプティカルＩ／Ｆ入出力端子
２１６，２３２  ＩＥＥＥ１３９４入出力端子
２１７  ＩＥＥＥ１３９４ケーブル
２１８  コンパクトフラッシュ（ＣＦ）カードスロット
２１９  コンパクトフラッシュ（ＣＦ）カード
２２０  ＡＴＡ／ＣＰＵインターフェイス
３０１，４０１  ファイル編集
３０２，４０２  ＭＰ３録音
３０３，４０３  ＭＰ３再生
３０４，４０４  高速ダビング
３０５，４０５  機器間相互制御
３０６，４０６  アプリケーション制御
３０７，４０７  ＦＡＴファイルシステム
３０８，４０８  ビットストリーム記録／再生
３０９，４０９  ＩＥＥＥ１３９４ＡＶ／Ｃ制御
３１０，４１０  リアルタイムＯＳ
３１１，４１１  ＡＴＡ（ＩＤＥ）制御
３１２，４１２  ＭＰ３エンコーダ制御
３１３，４１３  ＭＰ３デコーダ制御
３１４，４１４  ＡＶデータ転送
３１５，４１５  ＩＥＥＥ１３９４ Ｌｉｎｋ／Ｐｈｙ制御
【図１】
0003934309.tif 000002
【図２】
0003934309.tif 000003
【図３】
0003934309.tif 000004
【図４】
0003934309.tif 000005